(57)【要約】【課題】パネル部を手動操作で開閉する際のパネル操作部の誤操作を防止することができる電子機器を提供すること。【解決手段】車載装置１は、ディスクＤが出し入れ可能な本体１００と、タッチパネル２２を有してディスクＤを出し入れするために本体１００に対して利用者の手動操作によって開閉されるパネル部２００と、ディスクＤの取り出し可能位置を超えた開状態にパネル部２００があることを検出する開閉検出部５１と、開閉検出部５１による検出結果とタッチパネル２２の操作継続状態とに基づいて、タッチパネル２２の操作内容の有効／無効を判定する操作無効判定部５３とを備えている。【選択図】図１
2018195361.tif 000002
【特許請求の範囲】
【請求項１】
記録媒体が出し入れ可能な本体と、
パネル操作部を有し、前記記録媒体を出し入れするために前記本体に対して利用者の手動操作によって開閉されるパネル部と、
前記記録媒体の取り出し可能位置を超えた開状態に前記パネル部があることを検出する検出手段と、
前記検出手段による検出結果と前記パネル操作部の操作継続状態とに基づいて、前記パネル操作部の操作内容の有効／無効を判定する操作判定手段と、
を備えることを特徴とする電子機器。
【請求項２】
前記操作判定手段は、前記パネル部が前記開状態にあることが検出されたときに前記パネル操作部の操作内容を無効にするとともに、前記検出手段によって前記パネル部が前記開状態から閉状態に移行したことが検出されたときであって検出前に無効にされた前記パネル操作部の操作状態が継続しているときに前記パネル操作部の操作内容の無効状態を継続することを特徴とする請求項１に記載の電子機器。
【請求項３】
前記操作判定手段は、前記パネル部が前記閉状態に移行した後であって、前記パネル操作部の操作状態の継続が中止されるまで、前記パネル操作部の操作内容を無効にすることを特徴とする請求項２に記載の電子機器。
【請求項４】
前記操作判定手段は、前記パネル部が前記閉状態に移行した後であって、前記パネル操作部の操作状態の継続が中止されて第１の所定時間が経過するまで、前記パネル操作部の操作内容を無効にすることを特徴とする請求項２に記載の電子機器。
【請求項５】
前記操作判定手段は、前記パネル部が閉状態から前記開状態に移行したことが検出されたときであって、検出の前後で前記パネル操作部の操作状態が継続しているときに、前記パネル操作部の操作内容を操作開始時に遡って無効にすることを特徴とする請求項１〜４のいずれか一項に記載の電子機器。
【請求項６】
前記パネル操作部の操作内容に応じて所定の処理を行う処理手段と、
前記処理手段による前記操作開始時の処理内容を復元する処理状態復元手段と、
をさらに備えることを特徴とする請求項５に記載の電子機器。
【請求項７】
前記パネル操作部の操作状態が継続する場合には、第２の所定時間以下で一時的に操作状態が中断した場合が含まれることを特徴とする請求項２〜６のいずれか一項に記載の電子機器。
【請求項８】
前記パネル操作部は、タッチパネルであることを特徴とする請求項１〜７のいずれか一項に記載の電子機器。
【発明の詳細な説明】
【技術分野】
【０００１】
本発明は、開閉可能な操作パネルが開位置にあるときに、本体との間で記録媒体を出し入れする電子機器に関する。
【背景技術】
【０００２】
従来から、操作パネルを開いて本体から記録媒体が取り出せる位置に到達するまでの間と、到達した後の予め決められた時間の間について、操作パネルの操作部に対する操作を受け付けないように制御することにより、誤動作や誤操作を防止する電子機器が知られている（例えば、特許文献１参照。）。
【先行技術文献】
【特許文献】
【０００３】
【特許文献１】特開２００８−７７８２８号公報
【発明の概要】
【発明が解決しようとする課題】
【０００４】
ところで、上述した特許文献１に開示された電子機器では、操作パネル（パネル部）の開閉動作を電動で行うことを想定しており、手動で開閉する場合については有効に誤操作を防止することができないという問題があった。例えば、上述した電子機器では、操作パネルが記録媒体の取り出し位置に到達するまでの移動中であることをモータの駆動電流に応じて判定する場合について説明しているが、手動の場合にはこのような判定手法を用いることはできない。また、操作パネルが移動中であることを検出可能なセンサを用いることでこの判定を行うことも考えられるが、この場合には、別部品の追加になるためコスト上昇を抑制する観点からは望ましくはない。
【０００５】
また、特許文献１に開示された電子機器では、操作パネルが記録媒体の取り出し位置に到達した後の予め決められた時間（所定時間）、操作部（パネル操作部）に対する操作を受け付けないようにしているが、手動で操作パネルを閉じる場合には、所定時間経過後であっても操作パネルを閉じる際に操作部に触れるおそれがあるため、この接触に伴う誤操作が発生する。
【０００６】
本発明は、このような点に鑑みて創作されたものであり、その目的は、パネル部を手動操作で開閉する際のパネル操作部の誤操作を防止することができる電子機器を提供することにある。
【課題を解決するための手段】
【０００７】
上述した課題を解決するために、本発明の電子機器は、記録媒体が出し入れ可能な本体と、パネル操作部を有して記録媒体を出し入れするために本体に対して利用者の手動操作によって開閉されるパネル部と、記録媒体の取り出し可能位置を超えた開状態にパネル部があることを検出する検出手段と、検出手段による検出結果とパネル操作部の操作継続状態とに基づいて、パネル操作部の操作内容の有効／無効を判定する操作判定手段とを備えている。
【０００８】
これにより、パネル部を利用者が手動操作する際に誤ってパネル操作部を触ってしまった場合であっても、パネル部が開位置から閉位置に移行した際に継続する操作内容を無効にすることができるため、パネル部を手動で開閉する際に生じるパネル操作部の誤操作を防止することができる。
【０００９】
また、上述した操作判定手段は、パネル部が開状態にあることが検出されたときにパネル操作部の操作内容を無効にするとともに、検出手段によってパネル部が開状態から閉状態に移行したことが検出されたときであって検出前に無効にされたパネル操作部の操作状態が継続しているときにパネル操作部の操作内容の無効状態を継続することが望ましい。また、上述した操作判定手段は、パネル部が閉状態に移行した後であって、パネル操作部の操作状態の継続が中止されるまで、パネル操作部の操作内容を無効にすることが望ましい。これにより、パネル部を利用者が手動操作で閉める際に誤ってパネル操作部を触ってしまった場合であっても、パネル部から手を離すまでパネル操作部の操作内容が無効になるため、パネル部を手動で閉める際に生じるパネル操作部の誤操作を有効に防止することができる。
【００１０】
また、上述した操作判定手段は、パネル部が閉状態に移行した後であって、パネル操作部の操作状態の継続が中止されて第１の所定時間が経過するまで、パネル操作部の操作内容を無効にすることが望ましい。これにより、パネル部を閉める操作が終了する際に利用者がパネル部を持ち替える場合などについても、パネル部を手動で閉める一連の操作が終了するまでパネル操作部の誤操作を有効に防止することができる。
【００１１】
また、上述した操作判定手段は、パネル部が閉状態から開状態に移行したことが検出されたときであって、検出の前後でパネル操作部の操作状態が継続しているときに、パネル操作部の操作内容を操作開始時に遡って無効にすることが望ましい。これにより、パネル部を利用者が手動操作で開ける際に誤ってパネル操作部を触ってしまった場合であっても、パネル操作部を触った時点まで遡ってパネル操作部の操作内容が無効になるため、パネル部を手動で開く際に生じるパネル操作部の誤操作を有効に防止することができる。
【００１２】
また、上述したパネル操作部の操作内容に応じて所定の処理を行う処理手段と、処理手段による操作開始時の処理内容を復元する処理状態復元手段とをさらに備えることが望ましい。これにより、パネル部を利用者が手動操作で開ける際に誤ってパネル操作部を触ってしまった場合であっても、パネル操作部を触った時点まで遡ってこのパネル操作部の誤操作を無効にした上で処理を継続することが可能となる。
【００１３】
また、上述したパネル操作部の操作状態が継続する場合には、第２の所定時間以下で一時的に操作状態が中断した場合が含まれることが望ましい。これにより、パネル部を開閉する途中で持ち替える場合などについても、パネル部を手動で開閉する一連の操作が終了するまでパネル操作部の誤操作を有効に防止することができる。
【００１４】
また、上述したパネル操作部は、タッチパネルであることが望ましい。これにより、タッチパネルを誤って触った場合の誤操作を気にすることなくパネル部を手動で開閉することが可能になり、誤操作を取り消すなどの煩雑な操作が不要になることで操作性を向上させることができる。
【図面の簡単な説明】
【００１５】
【図１】一実施形態の車載装置の構成を示す図である。
【図２】パネル部と本体の概要を示す斜視図である。
【図３】車載装置の側面図である。
【図４】本体前面の概略図である。
【図５】開状態にあるパネル部を閉める場合のタッチパネルの操作内容の有効／無効を決定する動作手順を示す流れ図である。
【図６】パネル部を開ける場合のタッチパネルの操作内容の有効／無効を決定する変形例の動作手順を示す流れ図である。
【発明を実施するための形態】
【００１６】
以下、本発明の電子機器を適用した一実施形態の車載装置について、図面を参照しながら説明する。
【００１７】
図１は、一実施形態の車載装置の構成を示す図である。図１に示すように、車載装置１は、ナビゲーション処理部１０、ＴＶチューナ処理部１４、ラジオチューナ処理部１６、ＡＶ処理部１８、操作部２０、タッチパネル２２、スイッチ（ＳＷ）２４、入力制御部２６、表示処理部３０、表示部３２、デジタル−アナログ変換器（Ｄ／Ａ）４０、スピーカ４２、制御部５０、ディスクドライブ装置６０を備えている。
【００１８】
ナビゲーション処理部１０は、ディスクドライブ装置６０に装填された記録媒体としてのディスクＤに記憶されている地図データを用いて、車載装置１が搭載された車両の走行を案内するナビゲーション動作を行う。自車位置を検出するＧＰＳ（Global Positioning System）装置１２とともに用いられ、車両の走行を案内するナビゲーション動作には、地図表示、経路探索・誘導、周辺施設検索などが含まれる。なお、自車位置検出は、ＧＰＳ１２の他にジャイロセンサや車速センサ等の自律航法センサを組み合わせて用いるようにしてもよい。
【００１９】
ＴＶチューナ処理部１４は、地上デジタル放送等の放送信号を受信し、映像および音声を再生する処理を行う。ラジオチューナ処理部１６は、ラジオ放送の信号を受信し、音声を再生する処理を行う。ＡＶ処理部１８は、圧縮されてディスクＤに記憶されている音楽データや映像データを読み出して再生する処理を行う。なお、音楽データや映像データは、ハードディスク装置（図示せず）に記録されたものを用いてもよいし、通信を介して音楽・映像配信用のサーバ（図示せず）から取得するようにしてもよい。
【００２０】
操作部２０は、利用者による各種操作を受け付けるためのものであり、後述するイジェクトキー１２４を含む各種のスイッチ等が含まれる。タッチパネル２２は、表示部３２の画面に重ねて配置されており、利用者の指が接触した画面上の位置を検出する。本実施形態では、車載装置１は、パネル部と本体を含んでおり、各構成がこれらに分かれて収納されている。
【００２１】
図２は、パネル部と本体の概要を示す斜視図である。図３は、車載装置１の側面図である。図２および図３に示すように、車載装置１は、本体１００とパネル部２００とを備えている。本体１００は、表示部３２やタッチパネル２２、スピーカ４２等を除く車載装置１の各構成が例えば２ＤＩＮサイズの筐体に収納されたものであって、運転席と助手席の間のセンターコンソール内の所定位置に搭載されている。パネル部２００は、本体１００の前方に、下端近傍の支持部２１０に支点２１２を中心に回転可能な状態で取り付けられており、表示部３２とその前面に取り付けられたタッチパネル２２とを含んでいる。例えば、鉛直方向を基準にして時計回り方向に５°（図３（Ａ））、反時計回り方向に６０°（図３（Ｂ））までの範囲内で、支点２１２を中心に手動でパネル部２００を回転させることができる。
【００２２】
図４は、本体前面の概略図である。本体１００の前面１１０には、ディスクＤを出し入れする挿入口１２０と、その下部から挿入口１２０を照明するディスク照明部１２２と、ディスクＤを取り出す指示を行うイジェクトキー１２４とが設けられている。この前面１１０は、挿入口１２０に対してディスクＤを出し入れする際に露出し、それ以外のときはパネル部２００によって覆われて遮蔽される。
【００２３】
スイッチ２４は、パネル部２００の開閉状態に応じてオンオフされる。具体的には、スイッチ２４は、パネル部２００の角度が鉛直方向を基準にして反時計回り方向（図３（Ａ）や図３（Ｂ）に示すように、本体１００やパネル部２００の左側面から見た場合）に４５°以上のときにオンされ、４５°未満（図３（Ａ）に示すように、パネル部２００が鉛直方向を基準にして時計回り方向に傾斜している場合も含む）のときにオフされる。本実施形態では、このオン状態とオフ状態とが変化する角度（４５°）は、ディスクＤの取り出し時にディスクＤの先端がパネル部２００と干渉する角度を超えるように、すなわちこの干渉が生じないように設定されている。例えば、パネル部２００を開状態から閉状態に移行していってパネル部２００の角度が４０°近傍に到達したときにパネル部２００の裏側がディスクＤの先端に干渉する場合を想定しており、この干渉発生時の角度４０°に若干の余裕を持たせて上述した４５°の角度が設定されている。このスイッチ２４は、例えば支持部２１０の近傍に取り付けられており、パネル部２００の開閉状態に合わせて可動切片が移動してオンオフ操作がなされるように構成されている。
【００２４】
入力制御部２６は、操作部２０およびタッチパネル２２、スイッチ２４の操作状態を監視し、利用者による入力内容やパネル部２００の開閉状態を検出する。
【００２５】
表示処理部３０は、各種の操作画面等を表示する映像信号を出力して表示部３２にこれらの画面を表示するとともに、ナビゲーション処理部１０、ＴＶチューナ処理部１４、ラジオチューナ処理部１６、ＡＶ処理部１８のそれぞれの処理内容に対応する映像信号を出力して表示部３２にこれらの処理内容を示す画面を表示する。表示部３２は、パネル部２００に設置されており、例えば液晶表示装置（ＬＣＤ）を用いて構成され、表示処理部３０から出力される映像信号に対応する画面を表示する。
【００２６】
デジタル−アナログ変換器４０は、ナビゲーション処理部１０、ＴＶチューナ処理部１４、ラジオチューナ処理部１６、ＡＶ処理部１８のそれぞれの処理によって生成される音声データや音楽データをアナログの音声信号に変換してスピーカ４２から出力する。なお、実際には、デジタル−アナログ変換器４０とスピーカ４２の間には信号を増幅する増幅器が接続されているが、図１ではこの増幅器は省略されている。また、デジタル−アナログ変換器４０とスピーカ４２との組合せは再生チャンネル数分備わっているが、図１では一組のみが図示されている。
【００２７】
制御部５０は、車載装置１の全体を制御するためのものであり、ＲＯＭやＲＡＭなどに格納された所定のプログラムをＣＰＵで実行することにより実現される。また、制御部５０は、パネル部２００の開閉状態に応じてタッチパネル２２の操作内容の有効／無効を決定するために、開閉検出部５１、操作継続判定部５２、操作無効判定部５３、処理状態取得部５４、処理状態復元部５５を有する。
【００２８】
開閉検出部５１は、ディスクＤの取り出し可能位置を超えた開状態にパネル部２００があることを検出する。ここで、「取り出し可能位置を超えた開状態」とは、取り出し位置にあるディスクＤの先端と干渉しない角度にパネル部２００がある状態を指している。具体的には、開閉検出部５１は、スイッチ２４のオンオフ状態を監視しており、ディスクＤの取り出し可能位置を超えた開状態にパネル部２００があることを、スイッチ２４がオン状態にあることを確認することで検出する。
【００２９】
操作継続判定部５２は、パネル部２００が閉状態から開状態に移行する場合と、反対に開状態から閉状態に移行する場合のそれぞれについて、タッチパネル２２の操作状態（タッチパネル２２のいずれかの位置に利用者の手の一部が触れた状態）が継続しているか否かを判定する。
【００３０】
操作無効判定部５３は、開閉検出部５１による検出結果と、操作継続判定部５２による判定結果とに基づいて、タッチパネル２２を用いた操作内容の有効／無効を判定する。具体的には、操作無効判定部５３は、パネル部２００が開状態にあることが検出されたときにタッチパネル２２の操作内容を無効にするとともに、パネル部２００が開状態から閉状態に移行したことが検出されたときであって検出前に無効にされたタッチパネル２２の操作状態が継続しているときにタッチパネル２２の操作内容の無効状態を継続する。この操作内容の無効状態は、タッチパネル２２に触れていた利用者の手が離れるまで継続される。あるいは、操作無効判定部５３は、パネル部２００が閉状態から開状態に移行したことが検出されたときであって、検出の前後でタッチパネル２２の操作状態が継続しているときに、タッチパネル２２を用いた操作内容を操作開始時に遡って無効にする。
【００３１】
処理状態取得部５４は、この操作開始時における処理状態（操作開始時の直前に何らかの処理を実行中のナビゲーション処理部１０等を特定するとともに、その処理内容を復元（再現）するために必要な情報）を取得して格納する。
【００３２】
処理状態復元部５５は、処理状態取得部５４によって取得して格納した処理状態を復元する。これにより、上述した操作開始時における処理状態が再現される。
【００３３】
ディスクドライブ装置６０は、ディスクＤに記録された信号を読み取るためのものであり、搬送部６２、信号読取部６４、信号処理部６６、ディスク検出部（ＤＤ）６８を備えている。
【００３４】
搬送部６２は、ディスクＤを本体１００に出し入れするためのものであり、ディスクＤを挿入口１２０から本体１００に取り込んで信号読取部６４のターンテーブル（図示せず）上に配置するとともに、イジェクトキー１２４が押されたときにこのターンテーブルからディスクＤを取り出して挿入口１２０から排出する。信号読取部６４は、ターンテーブル上に配置されたディスクＤを一定の線速度で回転させながらディスクＤに記録された信号を読み取る。信号処理部６６は、信号読取部６４によって読み取った信号に基づいて映像データや音楽データを再生する。ディスク検出部６８は、挿入口１２０から突出した状態のディスクＤが存在するか否かを検出するためのものであり、例えば挿入口１２０近傍に設置されたフォトダイオードを用いて構成される。
【００３５】
上述した開閉検出部５１が検出手段に、操作無効判定部５３が操作判定手段に、処理状態復元部５５が処理状態復元手段に、ナビゲーション処理部１０、ＴＶチューナ処理部１４、ラジオチューナ処理部１６、ＡＶ処理部１８が処理手段にそれぞれ対応する。
【００３６】
本実施形態の車載装置１はこのような構成を有しており、次に、開状態にあるパネル部２００を利用者が手で押し上げて閉める際に利用者の手がタッチパネル２２に触れた場合の動作を説明する。
【００３７】
図５は、開状態にあるパネル部２００を閉める場合のタッチパネル２２の操作内容の有効／無効を決定する動作手順を示す流れ図である。
【００３８】
操作無効判定部５３は、タッチパネル２２が操作されたか否か（タッチパネル２２に利用者の手の少なくとも一部が触れたか否か）を判定する（ステップ１００）。
【００３９】
次に、操作無効判定部５３は、開閉検出部５１の検出結果に基づいて、パネル部２００が開いているか否かを判定する（ステップ１０２）。スイッチ２４がオン状態のとき（パネル部２００が４５°以上の角度で開かれているとき）には肯定判断が行われる。この場合には、操作無効判定部５３は、タッチパネル２２を用いた操作内容を無効にする（ステップ１０４）。その後、ステップ１００に戻って、タッチパネル２２を用いた操作の有無判定が繰り返される。
【００４０】
また、スイッチ２４がオフ状態のとき（パネル部２００の角度が４５°に達していないとき）には、ステップ１０２において否定判断が行われる。次に、操作継続判定部５２は、パネル部２００が開状態から現在の閉状態に移行するまでの間、タッチパネル２２の操作状態（タッチパネル２２のいずれかの位置に利用者の手の一部が触れた状態）が継続しているか否かを判定する（ステップ１０６）。
【００４１】
継続している場合には肯定判断が行われ、ステップ１０４に移行してタッチパネルを用いた操作内容を無効にする処理が継続される。また、タッチパネル２２の操作状態が継続していない場合にはステップ１０６の判定において否定判断が行われ、タッチパネル２２を用いた操作に応じた処理がナビゲーション処理部１０等によって行われる（ステップ１０８）。
【００４２】
このように、本実施形態の車載装置１では、パネル部２００を利用者が手動で閉める際に誤ってタッチパネル２２を触ってしまった場合であっても、パネル部２００が開位置から閉位置に移行した際に継続している操作内容を無効にすることができるため、パネル部２００を手動で閉める際に生じるタッチパネル２２を用いた誤操作を防止することができる。特に、パネル部２００を利用者が手動で閉める際に誤ってタッチパネル２２を触ってしまった場合であっても、パネル部２００から手を離すまでタッチパネル２２を用いた操作内容が無効になるため、パネル部２００を手動で閉める際に生じる誤操作を有効に防止することができる。
【００４３】
図６は、パネル部２００を開ける場合のタッチパネル２２の操作内容の有効／無効を決定する変形例の動作手順を示す流れ図である。
【００４４】
操作無効判定部５３は、タッチパネル２２が操作されたか否か（タッチパネル２２に利用者の手の少なくとも一部が触れたか否か）を判定する（ステップ２００）。
【００４５】
次に、操作無効判定部５３は、開閉検出部５１の検出結果に基づいて、パネル部２００が閉じているか否かを判定する（ステップ２０２）。スイッチ２４がオン状態のとき（パネル部２００が４５°以上の角度で開かれているとき）には否定判断が行われる。この場合には、操作無効判定部５３は、タッチパネル２２を用いた操作内容を無効にする（ステップ２０４）。その後、ステップ２００に戻って、タッチパネル２２を用いた操作の有無判定が繰り返される。
【００４６】
また、スイッチ２４がオフ状態のとき（パネル部２００の角度が４５°に達していないとき）には肯定判断が行われる。この場合には、処理状態取得部５４は、タッチパネル２２が操作された直前における処理状態を取得して格納する（ステップ２０６）。その後、タッチパネル２２を用いた操作に応じた処理がナビゲーション処理部１０等によって行われる（ステップ２０８）。
【００４７】
次に、操作無効判定部５３は、パネル部２００が閉状態にある間、タッチパネル２２の操作状態（タッチパネル２２のいずれかの位置に利用者の手の一部が触れた状態）が継続しているか否かを判定する（ステップ２１０）。継続していない場合には否定判断が行われ、ステップ２００に戻って、タッチパネル２２を用いた操作の有無判定が繰り返される。
【００４８】
また、タッチパネル２２の操作状態が継続している場合にはステップ２１０の判定において肯定判断が行われる。次に、操作無効判定部５３は、開閉検出部５１の検出結果に基づいて、パネル部２００が開いたか否かを判定する（ステップ２１２）。開状態に至っていない場合には否定判断が行われ、ステップ２１０の操作継続判定が繰り返される。
【００４９】
また、操作が継続した状態でパネル部２００が開かれると、ステップ２１２の判定において肯定判断が行われる。次に、操作無効判定部５３は、タッチパネル２２を用いた操作内容を無効にする（ステップ２１４）。また、処理状態復元部５５は、処理状態取得部５４によって格納された処理状態を復元する（ステップ２１６）。これにより、タッチパネル２２を用いた操作内容を操作開始時に遡って無効にして、この操作開始時における処理状態を再現することができる。
【００５０】
このように、本実施形態の車載装置１では、パネル部２００を利用者が手動で開ける際に誤ってタッチパネル２２を触ってしまった場合であっても、タッチパネル２２を触った時点まで遡ってタッチパネル２２を用いた操作内容が無効になるため、パネル部２００を手動で開く際に生じるタッチパネル２２を用いた誤操作を有効に防止することができる。
【００５１】
また、パネル部２００を利用者が手動で開ける際に誤ってタッチパネル２２を触ってしまった場合であっても、タッチパネル２２を触った時点まで遡ってこのタッチパネル２２を用いた誤操作を無効にした上でナビゲーション処理部１０等による処理を継続することが可能となる。
【００５２】
なお、本発明は上記実施形態に限定されるものではなく、本発明の要旨の範囲内において種々の変形実施が可能である。例えば、図５のステップ１０６ではタッチパネル２２の操作状態の継続の有無を判定しているが、この「操作状態が継続している場合（ステップ１０６の判定において肯定判断が行われる場合）」には、操作状態の継続が中止してから第１の所定時間が経過するまでを含めるようにしてもよい。これにより、パネル部２００を閉める操作が終了する際に利用者がパネル部２００を持ち替える場合などについても、パネル部２００を手動で閉める一連の操作が終了するまでタッチパネル２２を用いた誤操作を有効に防止することができる。
【００５３】
また、図５のステップ１０６や図６のステップ２１０における「操作状態が継続する場合（ステップ１０６、２１０の判定において肯定判断が行われる場合）」には、操作状態の継続途中で、第２の所定時間以下で一時的に操作状態が中断した場合を含めるようにしてもよい。これにより、パネル部２００を開閉途中で持ち替える場合などについても、パネル部２００を手動で開閉する一連の操作が終了するまでタッチパネル２２を用いた誤操作を有効に防止することができる。
【００５４】
また、上述した実施形態では、パネル部２００にタッチパネル２２が備わっている場合について説明したが、タッチパネル２２の代わりに、あるいは、タッチパネル２２とともに各種の操作ボタン等を含むパネル操作部が備わっている場合にも本発明を適用することができる。
【００５５】
また、上述した実施形態では、車両に搭載された電子機器としての車載装置１について説明したが、本体１００とパネル部２００を有する電子機器であれば、車両以外で用いられる電子機器についても本発明を適用することができる。
【産業上の利用可能性】
【００５６】
上述したように、本発明によれば、パネル部を利用者が手動操作する際に誤ってパネル操作部を触ってしまった場合であっても、パネル部が開位置から閉位置に移行した際に継続する操作内容を無効にすることができるため、パネル部を手動で開閉する際に生じるパネル操作部の誤操作を防止することができる。
【符号の説明】
【００５７】
１  車載装置
２０  操作部
２２  タッチパネル
２４  スイッチ（ＳＷ）
３２  表示部
５０  制御部
５１  開閉検出部
５２  操作継続判定部
５３  操作無効判定部
５４  処理状態取得部
５５  処理状態復元部
６０  ディスクドライブ装置
１００  本体
２００  パネル部
【図１】
2018195361.tif 000003
【図２】
2018195361.tif 000004
【図３】
2018195361.tif 000005
【図４】
2018195361.tif 000006
【図５】
2018195361.tif 000007
【図６】
2018195361.tif 000008